(57)【特許請求の範囲】
【請求項１】
遊技領域に、始動口と、開閉部材を有する変動入賞装置を配設の遊技機であって、
前記変動入賞装置内には遊技球を保持可能な保持部と特定入賞口が設けられ、遊技球が前記始動口に入賞すると前記変動入賞装置の開閉部材が閉成状態から開成状態になり、その後、第１の遊技球が有効タイム内に保持部を介して、又は、保持部を介さずに特定入賞口に入賞し、更に、前記第１の遊技球が前記特定入賞口への入賞後の第２有効タイム内に第２の遊技球が保持部を介して、又は、保持部を介さずに特定入賞口に入賞すると大当たりになることを特徴とする遊技機。
【発明の詳細な説明】
【０００１】
【発明の属する技術分野】
本発明は、大当たりが生起すると変動入賞装置が遊技者にとって有利な状態になる遊技機であって、より詳細には変動入賞装置の簡素化を図った遊技機に関する。
【０００２】
【従来の技術】
従来、遊技領域に変動入賞装置を備えた遊技機の一種のパチンコ機があり、その変動入賞装置には、遊技球が入賞し易い状態とそうでない状態に変更する開閉部材と、遊技球が入賞する一般入賞口と特定入賞口を区別して備えている。
そして、遊技球が始動口に入賞すると、通常時には開閉部材が閉成状態であって入賞が不能である第１の状態が、所定回数（例えば、１回）開成し、遊技球の入賞を可能とする第２の状態になる。そして、この変動入賞装置に入賞した遊技球が特定入賞口に入ると、遊技者にとって有利となる大当たり（特別遊技状態の第３の状態）が生起する。
【０００３】
この大当たりが生起すると、変動入賞装置の開閉部材が所定回数（例えば、１８回）開閉し、多量の賞品球の払出しを可能とする。尚、前記開閉部材が所定回数の回数以内であっても、１０個の入賞球が生じたときには１ラウンドが終了し、そのラウンドを継続するためには、ラウンド中に、遊技球が特定入賞口に入賞することを要する。そして、遊技球が特定入賞口に入賞することによって、現在のラウンドは終了して次のラウンドが開始し、予め設定の最高ラウンド数まで継続させることが可能である。
尚、前記最高ラウンド数は、大当たりが生起したとき、規制回数判定手段によって選定され、その結果は表示器に「△」又は「Ｖ」で表示され、「△」が表示され時には最高５ラウンド、「Ｖ」のときには１５ラウンドとしている。
【０００４】
【発明が解決しようとする課題】
前記変動入賞装置には、入賞球を区別して入賞する一般入賞口と特定入賞口を備えている。このように、変動入賞装置を製作することは、製作費が割高になるため改良が望まれている。
【０００５】
【課題を解決するための手段】
請求項１の遊技機は、遊技領域に、始動口と、開閉部材を有する変動入賞装置を配設してある。そして、遊技球が前記始動口に入賞すると前記変動入賞装置の開閉部材が閉成状態から開成状態になる。そして、その後、第１の遊技球が有効タイム内に保持部を介して、又は、保持部を介さずに特定入賞口に入賞し、更に、前記第１の遊技球が前記特定入賞口への入賞後の第２有効タイム内に第２の遊技球が保持部を介して、又は、保持部を介さずに特定入賞口に入賞すると大当たりになる。
【０００６】
変動入賞装置内には、遊技球を保持可能な保持部が備えてあり、この保持部を介して、又は、保持部を介さずに特定入賞口に入賞することがある。
即ち、この保持部によって、遊技球が入賞してから検出されるまでに時間差があるため、カウント開始時を異にする有効タイムと第２有効タイムを用いて、２個の遊技球が特定入賞口に入賞することを条件に大当たりを生起させるので、新たな面白味を発揮する遊技機である。
【０００７】
【発明の実施の形態】
遊技機としてパチンコ機を例にすると共に、そのパチンコ機の遊技領域（遊技盤）３のほぼ中央には、変動入賞装置１００（後記で詳述する入賞球を一時的に保持可能な保持装置１０６を備える）が配置してあり、詳細正面図を図２、分解図を図３に、断面図を図４、そしてタイムチャートを図５に示す。
【０００８】
変動入賞装置１００の下部は、入賞球が通過孔１０２に転動可能に凹状に形成してあると共に、その通過孔１０２は後記の保持部１０８からの落球を受入可能な位置である。そして、全ての入賞球は、保持部１０８を介するのと、直接のものが通過孔１０２から、その通過孔１０２に連通して特定入賞口１０５に入り、検出器（近接スイッチ形式）１２８によって検出される。
【０００９】
又、通過孔１０２の後上部には保持装置１０６が配置してあって、入賞球を保持可能な停留台形式の保持部１０８は、弓状の一対のアーム１０７で支持され、電磁ソレノイド１０７ａの往復動で昇降可能（可動可能）となっていて、常時は下降状態（図４に示す実線１０８ａの位置）を維持し、電磁ソレノイド１０７ａが励磁の時にはアーム１０７が支軸１０７ｂで回動し、上昇位置（図４に示す破線１０８ｂの位置）となる。
【００１０】
前本体１１３の上部には、後述する規制回数判定手段の判定結果を表示する規制回数表示器１０９が、また、その下部には、特別遊技状態における１ラウンド中の入賞球数を表示する入賞球数表示器１１０が複数のランプで構成してある。尚、入賞球数表示器１１０は、入賞装置内に入った入賞球を検出する入賞球検出器（図示略）を介して順次点滅し、遊技者に報知する。
又、規制回数表示器１０９の左部には、ラウンド数を表示するラウンド表示器１３０が設けてあり、大当たり中における経過ラウンド（又は残りのラウンド数）を表示する。
【００１１】
又、前本体１１３の両端部には、開閉部材１１１が後本体１１４に付設の電磁ソレノイド１１２を介して開閉自在に取着してあり、開成状態に入った入賞球Ｙは、案内樋１１１ａ、針金で形成の誘導路１１１ｂによって、前記保持部１０８が上昇状態（図４で示す破線１０８ｂの位置）のときには、その保持部１０８で保持する可能性は非常に高くなる。尚、１１５は前本体に形成の上部入賞口である。
【００１２】
又、遊技領域３の変動入賞装置１００の左下部には、普通図柄始動口１２３が配設してあり、図柄可変表示可能な普通図柄表示部Ｌが付設してある。又、下部中央には開閉式の普通電動役物１２１が設置され、その左右に、左始動口（始動口Ｂ）１２２ａ及び右始動口（始動口Ｂ）１２２ｂが取り付けてある。
【００１３】
次に、前記のパチンコ機の作用について説明すると、通常時（第１の状態）は、前記普通電動役物１２１は閉成状態（遊技者にとって不利な）であり、遊技球の入賞不能である。
そして、遊技球が普通図柄始動口１２３に入賞すると、所定数の賞品球が計数排出装置（図示略）を介して上皿８に排出されると共に、普通図柄表示部Ｌの図柄が変動を開始する。そして、５秒後に、前記普通図柄表示部Ｌの図柄が当たりであるか否かによって停止図柄を異にし、当たりであるときには、普通電動役物１２１が１秒間、開成状態を維持する。
【００１４】
そして、遊技球が普通電動役物１２１に入賞すると、常時は閉成状態（第１の状態）を維持している変動入賞装置１００に付設の開閉部材１１１が、電磁ソレノイド１１２を介して、２秒後に、開閉部材１１１が０．４秒間の開成状態を０．６秒の間隔で２回行い、各々、遊技球を入賞装置内に入賞可能にする（図５（Ａ）に示すタイムチャート図参照）。
一方、遊技球が左始動口（始動口Ｂ）１２２ａ、又は右始動口（始動口Ｂ）１２２ｂに入賞すると、２秒後に、開閉部材１１１が０．４秒間、開成し（図５（Ｂ）に示すタイムチャート図参照）、遊技者にとって比較的小さな価値をもたらす第２の状態を奏する。
【００１５】
そして、遊技球が、前記始動口Ａ、Ｂに入って２秒後に、保持装置１０６の保持部１０８は上昇位置に変遷して０．３秒停留し、０．１秒で降下し、この保持部１０８は、後記で詳述する有効タイムの間、昇降を繰り返す（図５（Ｃ）に示すタイムチャート図参照）。
そのため、開閉部材１１１から入った入賞球は、案内樋１１１ａ及び誘導路１１１ｂ上を流下し、入賞球は前記保持部１０８を介して保持される可能性があり、その保持部１０８に保持された入賞球は、その後、保持部１０８の下降に伴って、入賞球は通過孔１０２から特定入賞口１０５に入り、検出器１２８で検出される。
一方、前記保持部１０８に保持されなかった入賞球は、通過孔１０２から特定入賞口１０５に入り、検出器１２８で検出される。
従って、入賞球は、保持部１０８を経由する場合と、しない場合があり、入賞してから検出器１２８で検出される迄の時間的差が生ずる。
【００１６】
次に、前記遊技機において、選択可能な大当たり（第３の状態）になる種々の態様について記載する。
（大当たり態様１）
タイマー（図示略）を設けて、このタイマーを変動入賞装置１００に付設の開閉部材１１１が開成したときを起点に計数を開始すると共に、開閉部材１１１が閉成後、１秒間後までを有効タイムとする。従って、遊技球が普通電動役物１２１に入賞したときにおける有効タイムは２．４秒であり、遊技球が左始動口（始動口Ｂ）１２２ａ、又は右始動口（始動口Ｂ）１２２ｂに入賞したときの有効タイムは１．４秒である。
そして、この有効タイムの間に、特定入賞口１０５に入った入賞球を検出器１２８で検出し、且つ、その数が有効数（例えば、２個）であるときには、大当たり（第３の状態）とする。
【００１７】
（大当たり態様２）
タイマー（図示略）を設けて、このタイマーを変動入賞装置１００に付設の開閉部材１１１が開成したときを起点に計数を開始すると共に、開閉部材１１１が閉成後、１秒間、後までを有効タイムとする。従って、遊技球が普通電動役物１２１に入賞したときにおける有効タイムは２．４秒であり、遊技球が左始動口（始動口Ｂ）１２２ａ、又は右始動口（始動口Ｂ）１２２ｂに入賞したときの有効タイムは１．４秒である。
そして、この有効タイムの間に、先ず、１個目の入賞球が特定入賞口１０５に入ったことを検出器１２８で検出し、且つ、１個目の入賞球を検出した後、予め設定の第２有効タイム（例えば、０．５秒）内に２個目の入賞球を検出器１２８で検出したときには、大当たり（第３の状態）とする。
【００１８】
尚、前記遊技機において、入賞球は保持部１０８を介して通過孔１０２、特定入賞口１０５に入賞する場合と、保持部１０８を介さずに通過孔１０２を介して特定入賞口１０５に入賞して、検出器１２８で検出される場合がある。
そのため、例え、２個の入賞球があったとしても、前記入賞球は入賞してから検出される迄に時間差が生じ、大当たり（第３の状態）が生起する場合と生起しない場合が生ずる。
【００１９】
前記大当たり態様において、下記する条件に変更してもよい。
（１）前記大当たり態様１、２において、有効タイムの開始時は、開閉部材１１１が開成したときであるが、開閉部材１１１が開成した後の所定時間後にする。
（２）前記大当たり態様１、２において、１個目の入賞球を検出器１２８で検出した後、所定時間後に、前記始動口Ａあるいは始動口Ｂに入賞することによって、大当たり（第３の状態）とする。
【００２０】
（３）前記大当たり態様１、２において、開閉部材１１１が開成し、１個目の入賞球を検出器１２８で検出したときリーチ状態とする。そして、再度、開閉部材１１１が開成して、２個目の入賞球を検出器１２８で検出したとき、大当たり（第３の状態）とする。
（４）尚、前記において、入賞球の有効数、有効時間は任意に選定できることは言うまでもない。
（５）又、保持装置１０６における保持部１０８の上昇時間、下降時間及び停留時間、或いは、有効タイム内における昇降回数は、遊技内容によって任意に設定できることは言うまでもない。
【００２１】
大当たりが生起したときには、１ラウンド当たり、前記変動入賞装置１００に付設の開閉部材１１１を１８回、開閉を繰り返すことによって多量の賞品球の獲得を可能とする。尚、開閉部材１１１が１８回の開閉作動以内であっても、１０個の入賞があると１ラウンドを終了する。
また、１０個の入賞球が特定入賞口１０５に入賞すると、新たなラウンドの開始となり、後述の規制回数判定手段によって規制されるが、予め設定の最大１５ラウンドまで継続可能とする。
又、ラウンド表示器１３０には、経過ラウンド数（又は残りのラウンド数）を表示し、遊技者にその旨を知らせる。
【００２２】
規制回数判定手段（例えば、電源投入時から０、１の循環カウンタ）によって、「０」であるときには規制回数表示器１０９に「△」を、「１」であるときには「Ｖ」を表示して下記のように制御する。
即ち、規制回数表示器１０９に「△」が表示したときには、最大ラウンド数は１０回とし、「Ｖ」の時には、許容最大の１５ラウンドとする。
この様に、大当たりが生じたとき、規制回数判定手段によって選定した「△」か「Ｖ」によって、特定ラウンド数を変更することによって、従来とは異なる新鮮味を奏する。
【００２３】
尚、前記遊技機は、入賞球を保持装置１０６（保持部１０８）を備えた形式のものであるが、前記大当たりの条件を厳しくすることによって、保持装置１０６（保持部１０８）を備えない形式にも適用できる。
【００２４】
【発明の効果】
本発明の遊技機は、２個の遊技球がカウント開始時を異にする有効タイムと第２有効タイムを用いて、特定入賞口に入賞することを条件に大当たりを生起させるので、新たな面白味を発揮する遊技機である。
【図面の簡単な説明】
【図１】パチンコ機の正面図である。
【図２】変動入賞装置の正面図である。
【図３】変動入賞装置の部品分解図である。
【図４】変動入賞装置の側断面図である。
【図５】タイムチャートを示す図である。
【符号の説明】
１００  変動入賞装置
１０５  特定入賞口
１０６  保持装置
１０６ａ  保持装置
１０８  保持部
１１１  開閉部材
１２１  普通電動役物（始動口Ａ）
１２２ａ  左始動口（始動口Ｂ）
１２２ｂ  右始動口（始動口Ｂ）
【図１】
0004030085.tif 000002
【図２】
0004030085.tif 000003
【図３】
0004030085.tif 000004
【図４】
0004030085.tif 000005
【図５】
0004030085.tif 000006